【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
アクセス制限されたコンテンツを含み、該コンテンツの少なくとも一部がアクセス制限された部分である、機械読取り可能な情報担体であって、
当該情報担体は、前記コンテンツに付随させられたデータであって、機械により実行可能なアクセスアプリケーションを表すデータをさらに含んでおり、
前記アクセスアプリケーションは、読取装置による当該情報担体の前記コンテンツへのアクセスを制御する、機械により実行可能な前記読取装置用の命令を含み、
前記アクセスアプリケーションは、前記読取装置が権限を有するものであるかをチェックし、前記読取装置が権限を有さないものであると判断した場合には、前記コンテンツの前記アクセス制限された部分内の情報へのアクセスを拒否し、前記読取装置が権限を有するものであると判断した場合には、前記コンテンツの前記アクセス制限された部分内の情報へのアクセスを許可するように設計されていることを特徴とする情報担体。
【請求項２】
当該情報担体が、光ディスク、好ましくはＢＤ−Ｊフォーマットに準拠する光ディスクであって、
前記読取装置が、ディスクドライブを含んでいることを特徴とする請求項１記載の情報担体。
【請求項３】
前記アクセスアプリケーションが、自動開始型のアプリケーションであることを特徴とする請求項１または２記載の情報担体。
【請求項４】
前記アクセスアプリケーションが、予め規定されたブロック解除アクションが実行されたか否かをチェックするように設計されていることを特徴とする請求項１から３いずれか１項記載の情報担体。
【請求項５】
前記ブロック解除アクションが、支払いアクションを含むことを特徴とする請求項４記載の情報担体。
【請求項６】
前記アクセスアプリケーションが、前記コンテンツの前記アクセス制限された部分への権限を有するアクセスを、実効的に中断する停止コマンドの受信に応答して、前記読取装置のメモリ内にステータス情報を保存するように設計されており、
前記アクセスアプリケーションがさらに、前記メモリ内の前記ステータス情報を照会することにより、前記読取装置が権限を有するものであるかをチェックするように設計されていることを特徴とする請求項１から３いずれか１項記載の情報担体。
【請求項７】
当該情報担体が、前記コンテンツと関連付けられた再生リストであって、該コンテンツのクリップの開始位置に関する情報を包含する再生リストを含んでおり、
前記コンテンツのアクセス制限された部分と関連付けられた前記再生リストが、正しい再生リストから外れた、操作された再生リストとされており、
前記アクセスアプリケーションが、前記正しい再生リストを提供するための情報を含んでいることを特徴とする請求項１から３いずれか１項記載の情報担体。
【請求項８】
前記アクセスアプリケーションは、前記読取装置が権限を有するものであると判断した場合には、前記正しい再生リストを提供し、前記読取装置が権限を有さないものであると判断した場合には、当該情報担体に含まれている元々の前記再生リストに基づく再生を許可するものであることを特徴とする請求項７記載の情報担体。
【請求項９】
前記再生リストが、前記コンテンツのアクセス制限されていない部分のクリップの開始位置のみに関する再生リストであり、
前記アクセスアプリケーションが、前記コンテンツのアクセス制限された部分のクリップの開始位置に関する追加の再生リストを含んでおり、
前記アクセスアプリケーションは、前記読取装置が権限を有するものであると判断した場合には、前記追加の再生リストを、当該情報担体に含まれている元々の前記再生リストに追加するように設計されていることを特徴とする請求項７記載の情報担体。
【請求項１０】
前記再生リストは、前記コンテンツのアクセス制限された部分のクリップについては、エラーを有するアドレスを含み、
前記アクセスアプリケーションが、前記コンテンツのアクセス制限された部分の前記クリップの開始位置に関する、代替の再生リストを含んでおり、
前記アクセスアプリケーションは、前記読取装置が権限を有するものであると判断した場合には、前記コンテンツのアクセス制限された部分の前記クリップについては、元々の前記再生リストに代えて、前記代替の再生リストを用いるように設計されていることを特徴とする請求項７記載の情報担体。
【請求項１１】
前記再生リストは、前記コンテンツのアクセス制限された部分のクリップについては、エラーを有するアドレスを含み、
前記アクセスアプリケーションは、前記読取装置が権限を有するものであると判断した場合には、前記エラーを有するアドレスに基づいて正しいアドレスを計算するように設計されていることを特徴とする請求項７記載の情報担体。
【請求項１２】
少なくとも一部がアクセス制限された部分である情報担体の特定のコンテンツに付随させられて、該情報担体上に記憶されるアクセスアプリケーションであって、
当該アクセスアプリケーションは、読取装置による前記情報担体の前記コンテンツへのアクセスを制御する、機械により実行可能な前記読取装置用の命令を含んでおり、
当該アクセスアプリケーションは、前記読取装置が権限を有するものであるかをチェックし、前記読取装置が権限を有さないものであると判断した場合には、前記コンテンツの前記アクセス制限された部分内の情報へのアクセスを拒否し、前記読取装置が権限を有するものであると判断した場合には、前記コンテンツの前記アクセス制限された部分内の情報へのアクセスを許可するように設計されていることを特徴とするアクセスアプリケーション。
【請求項１３】
予め規定されたブロック解除アクションが実行されたか否かを、チェックするように設計されていることを特徴とする請求項１２記載のアクセスアプリケーション。
【請求項１４】
前記コンテンツの前記アクセス制限された部分への権限を有するアクセスを、実効的に中断する停止コマンドの受信に応答して、前記読取装置のメモリ内にステータス情報を保存するように設計されており、
前記メモリ内の前記ステータス情報を照会することにより、前記読取装置が権限を有するものであるかをチェックするように設計されていることを特徴とする請求項１２記載のアクセスアプリケーション。
【請求項１５】
再生リストを変更するための再生リスト情報を含んでいることを特徴とする請求項１２記載のアクセスアプリケーション。
【請求項１６】
ソフトウェアを記憶するための動作メモリを有するディスクドライブであって、
前記動作メモリが、請求項１２から１５いずれか１項記載のアクセスアプリケーションを含んでいることを特徴とするディスクドライブ。
【請求項１７】
遠隔の支払処理を実現するための支払装置が設けられていることを特徴とする請求項１６記載のディスクドライブ。
【請求項１８】
情報担体のコンテンツのうち、少なくともアクセス制限された部分を保護する方法であって、
エラーを有するアドレス情報を伴う再生リストを提供する工程と、
前記エラーを有するアドレス情報を伴う前記再生リストを、修正するための情報を提供する工程と、
前記コンテンツの前記アクセス制限された部分へのアクセス要求を検出する工程と、
前記アクセスの権限をチェックする工程と、
権限を有することが確認されたら、前記再生リストを修正する工程とを含むことを特徴とする方法。